(57)【要約】【課題】  釣糸巻取装置において、簡素な構成により、糸外れを防止すること。【解決手段】  釣糸巻取装置１０の糸外れ防止装置において、巻取ドラム１３の釣糸が出入りする領域の側傍で、巻取ドラム１３の少なくともハウジング１１寄りの側板２１に添い設けられ、該側板２１の最大外径をこえる高さまで延びる糸外れ防止ガイド３０を、ハウジング１１に対し回り止めし、かつ巻取ドラム１３とともに軸方向にトラバースさせるように設けてなるもの。【選択図】  図１
2008199917.tif 000002
【特許請求の範囲】
【請求項１】
ハウジングに支持される巻取軸の端部に巻取ドラムを固定し、この巻取軸及び巻取ドラムをハウジングに対し軸方向にトラバースさせつつ巻取り回転もしくは巻出し回転させ、この巻取ドラムに釣糸を巻取りもしくは巻出す釣糸巻取装置において、
巻取ドラムの釣糸が出入りする領域の側傍で、巻取ドラムの少なくともハウジング寄りの側板に添い設けられ、該側板の最大外径をこえる高さまで延びる糸外れ防止ガイドを、ハウジングに対し回り止めし、かつ巻取ドラムとともに軸方向にトラバースさせるように設けてなることを特徴とする釣糸巻取装置の糸外れ防止装置。
【請求項２】
前記ハウジングの両側に左右の巻取ドラムを有し、ハウジングに支持した回り止めシャフトの両側に設けられる左右の糸外れ防止ガイドの基部のガイドメタルが、左右の巻取ドラムのハウジング寄りの側板に添接する状態で巻取軸に枢支され、右側へのトラバース時には左巻取ドラムが左糸外れ防止ガイドのガイドメタルを軸方向に押し、左側へのトラバース時には右巻取ドラムが右糸外れ防止ガイドのガイドメタルを軸方向に押すように構成した請求項１に記載の釣糸巻取装置の糸外れ防止装置。
【請求項３】
前記ハウジングの一側にだけ巻取ドラムを有し、ハウジングに支持した回り止めシャフトの一側に設けられる糸外れ防止ガイドの基部のガイドメタルが、巻取ドラムのハウジング寄りの側板に添接する状態で巻取軸に枢支され、該回り止めシャフトの他側に設けられるサブガイドメタルが、ハウジングの他側に突出する巻取軸に固定した固定金具に該ハウジングの側から添接する状態で該巻取軸に枢支され、一側へのトラバース時には固定金具が他側のサブガイドメタルを軸方向に押し、他側へのトラバース時には巻取ドラムが糸外れ防止ガイドのガイドメタルを軸方向に押すように構成した請求項１に記載の釣糸巻取装置の糸外れ防止装置。
【請求項４】
前記ハウジングの一側にだけ巻取ドラムを有し、ハウジングに支持した回り止めシャフトに設けられる糸外れ防止ガイドの基部のガイドメタルが、巻取ドラムのハウジング寄りの側板に添接する状態で巻取軸に枢支され、糸外れ防止ガイドに連結されて巻取ドラムの反ハウジング側に設けられるサブガイドメタルが、巻取ドラムの反ハウジング側の側板に添接する状態で巻取軸に枢支され、一側へのトラバース時には巻取ドラムが反ハウジング側のサブガイドメタルを軸方向に押し、他側へのトラバース時には巻取ドラムが糸外れ防止ガイドのガイドメタルを軸方向に押すように構成した請求項１に記載の釣糸巻取装置の糸外れ防止装置。
【請求項５】
前記糸外れ防止ガイドが巻取ドラムの側板の外縁に摺接する摺動メタルを備える請求項１〜４のいずれかに記載の釣糸巻取装置の糸外れ防止装置。
【請求項６】
前記糸外れ防止ガイドが、巻取ドラムの側板に添って径方向に延びる立ち上がりバーと、立ち上がりバーの先端から横方向に延びるクロスバーとからなる請求項１〜５のいずれかに記載の釣糸巻取装置の糸外れ防止装置。
【請求項７】
前記クロスバーが巻取ドラムの全巾に渡る請求項６に記載の釣糸巻取装置の糸外れ防止装置。
【発明の詳細な説明】
【技術分野】
【０００１】
本発明は釣糸巻取装置の糸外れ防止装置に関する。
【背景技術】
【０００２】
従来、特許文献１に記載の如く、ハウジング１１に支持される巻取軸１２を軸方向にトラバースさせつつ回転させて釣糸を巻取る釣糸巻取装置がある。この釣糸巻取装置は、船べりに設置され、巻取軸に取付けた巻取ドラム１３に、漁具を構成する釣糸を巻取り、巻出し可能としている。釣糸１は、巻取ドラム１３の出側正面で、フロントローラ１４にガイドされて海中に延びる。例えば、イカ一本釣り漁業において、漁具は、テグス又はワイヤの釣糸の先に30本前後の疑似針を約１メートル間隔にテグスにより連結し、その先端に重りをつけて構成される。そして、巻取ドラムを正転、逆転することにより疑似針を下降、上昇させ、イカを釣り上げる。この釣糸巻取装置では、巻取ドラムに巻取られる疑似針が互いに重なって絡み合うことのないように、巻取軸を左右にトラバースさせながら回転させる（図８）。
【特許文献１】特許第3457745号
【発明の開示】
【発明が解決しようとする課題】
【０００３】
従来技術では、船のローリング、ピッチング等により、又は巻取ドラムによる釣糸の巻取り、巻出し時に疑似針が海中で小魚の動きに見えるように巻取ドラムを変形ドラムとし、また漁獲の向上を図るために巻取ドラムによる釣糸の巻取り、巻出し操作に電気的なシャクリ（巻取ドラム１回転の中で釣糸の速度変化を付ける）を加える等に起因して釣糸１がたるみ、巻取ドラム１３から外れ、これが巻取軸１２にからみ、操業を継続できなくなる。特許文献１等では、糸外れが発生した後に、被害を軽減する方策を提案しているが、糸外れそのものを防止するところがない。
【０００４】
本発明の課題は、釣糸巻取装置において、簡素な構成により、糸外れを防止することにある。
【課題を解決するための手段】
【０００５】
請求項１の発明は、ハウジングに支持される巻取軸の端部に巻取ドラムを固定し、この巻取軸及び巻取ドラムをハウジングに対し軸方向にトラバースさせつつ巻取り回転もしくは巻出し回転させ、この巻取ドラムに釣糸を巻取りもしくは巻出す釣糸巻取装置において、巻取ドラムの釣糸が出入りする領域の側傍で、巻取ドラムの少なくともハウジング寄りの側板に添い設けられ、該側板の最大外径をこえる高さまで延びる糸外れ防止ガイドを、ハウジングに対し回り止めし、かつ巻取ドラムとともに軸方向にトラバースさせるように設けてなるようにしたものである。
【０００６】
請求項２の発明は、請求項１の発明において更に、前記ハウジングの両側に左右の巻取ドラムを有し、ハウジングに支持した回り止めシャフトの両側に設けられる左右の糸外れ防止ガイドの基部のガイドメタルが、左右の巻取ドラムのハウジング寄りの側板に添接する状態で巻取軸に枢支され、右側へのトラバース時には左巻取ドラムが左糸外れ防止ガイドのガイドメタルを軸方向に押し、左側へのトラバース時には右巻取ドラムが右糸外れ防止ガイドのガイドメタルを軸方向に押すように構成したものである。
【０００７】
請求項３の発明は、請求項１の発明において更に、前記ハウジングの一側にだけ巻取ドラムを有し、ハウジングに支持した回り止めシャフトの一側に設けられる糸外れ防止ガイドの基部のガイドメタルが、巻取ドラムのハウジング寄りの側板に添接する状態で巻取軸に枢支され、該回り止めシャフトの他側に設けられるサブガイドメタルが、ハウジングの他側に突出する巻取軸に固定した固定金具に該ハウジングの側から添接する状態で該巻取軸に枢支され、一側へのトラバース時には固定金具が他側のサブガイドメタルを軸方向に押し、他側へのトラバース時には巻取ドラムが糸外れ防止ガイドのガイドメタルを軸方向に押すように構成したものである。
【０００８】
請求項４の発明は、請求項１の発明において更に、前記ハウジングの一側にだけ巻取ドラムを有し、ハウジングに支持した回り止めシャフトに設けられる糸外れ防止ガイドの基部のガイドメタルが、巻取ドラムのハウジング寄りの側板に添接する状態で巻取軸に枢支され、糸外れ防止ガイドに連結されて巻取ドラムの反ハウジング側に設けられるサブガイドメタルが、巻取ドラムの反ハウジング側の側板に添接する状態で巻取軸に枢支され、一側へのトラバース時には巻取ドラムが反ハウジング側のサブガイドメタルを軸方向に押し、他側へのトラバース時には巻取ドラムが糸外れ防止ガイドのガイドメタルを軸方向に押すように構成したものである。
【０００９】
請求項５の発明は、請求項１〜４のいずれかの発明において更に、前記糸外れ防止ガイドが巻取ドラムの側板の外縁に摺接する摺動メタルを備えるようにしたものである。
【００１０】
請求項６の発明は、請求項１〜５のいずれかの発明において更に、前記糸外れ防止ガイドが、巻取ドラムの側板に添って径方向に延びる立ち上がりバーと、立ち上がりバーの先端から横方向に延びるクロスバーとからなるようにしたものである。
【００１１】
請求項７の発明は、請求項６の発明において更に、前記クロスバーが巻取ドラムの全巾に渡るようにしたものである。
【発明の効果】
【００１２】
（請求項１）
(a)釣糸巻取装置において、巻取ドラムの側板に添い設けられ、側板の最大外径をこえる高さまで延びる糸外れ防止ガイドを、ハウジングに対し回り止めしながら、巻取ドラムとともに軸方向にトラバースさせるようにしたから、釣糸が巻取ドラムの側板を乗り越えて外れることを防止し、ひいては巻取軸にからむことを防止し、操業を確保できる。
【００１３】
（請求項２）
(b)左右の巻取ドラムを有する釣糸巻取装置において、左右の糸外れ防止ガイドをハウジングに対し回り止めし、かつ巻取ドラムとともにトラバースさせることができる。
【００１４】
（請求項３）
(c)片側にだけ巻取ドラムを有する釣糸巻取装置において、糸外れ防止ガイドをハウジングに対し回り止めし、かつ巻取ドラムとともにトラバースさせることができる。
【００１５】
（請求項４）
(d)片側にだけ巻取ドラムを有する釣糸巻取装置において、糸外れ防止ガイドをハウジングに対し回り止めし、かつ巻取ドラムとともにトラバースさせることができる。
【００１６】
（請求項５）
(e)糸外れ防止ガイドが巻取ドラムの側板の外縁に摺接する摺動メタルを備えることにより、糸外れ防止ガイドを巻取ドラムの側板に安定的に隙間なく添い設けることができる。
【００１７】
（請求項６）
(f)糸外れ防止ガイドが、巻取ドラムの側板に添って径方向に延びる立ち上がりバーと、立ち上がりバーの先端から横方向に延びるクロスバーとからなることにより、糸外れ防止ガイドにより巻取ドラムの外周を囲み、巻取ドラムから外方に大きくたるむ釣糸を確実に捕捉し、釣糸が巻取ドラムの側板を乗り越えて外れることを防止できる。
【００１８】
（請求項７）
(g)糸外れ防止ガイドのクロスバーが巻取ドラムの全巾に渡るように設けられる。イカ釣漁業で、フロントローラにより釣針から外れなかったイカを確実にクロスバーに当てて外し、このイカが巻取ドラムに巻き着くことを防止できる。
【発明を実施するための最良の形態】
【００１９】
図１は実施例１の釣糸巻取装置を示す正面図、図２は釣糸巻取装置を示し、（Ａ）は平面図、（Ｂ）は側面図、図３は実施例２の釣糸巻取装置を示す正面図、図４は釣糸巻取装置を示し、（Ａ）は平面図、（Ｂ）は側面図、図５は実施例３の釣糸巻取装置を示す正面図、図６は釣糸巻取装置を示し、（Ａ）は平面図、（Ｂ）は側面図、図７は実施例４の釣糸巻取装置を示し、（Ａ）は要部正面図、（Ｂ）は側面図、図８は糸外れ状態を示す模式図である。
【実施例】
【００２０】
（実施例１）（図１、図２、図８）
釣糸巻取装置１０は、図１に示す如く、ハウジング１１に支持される巻取軸の両端部に巻取ドラム１３を固定し、この巻取軸１２及び巻取ドラム１３を軸方向にトラバースさせつつ巻取り回転もしくは巻出し回転させ、釣糸１を巻取りもしくは巻出す。このとき、釣糸１は、巻取ドラム１３の出側正面で、フロントローラ１４にガイドされて海中に延びる（図８）。
【００２１】
尚、釣糸巻取装置１０の巻取軸１２を駆動する構造としては、例えば特願平6-197673号に係るものを採用できる。即ち、この釣糸巻取装置１０では、単一の駆動源により駆動されるトラバース作動軸と回転作動軸とを並置し、トラバース作動軸は巻取軸にトラバース力を伝達し、回転作動軸は巻取軸に回転力を伝達するものである。そして、トラバース作動軸は、巻取軸に平行配置される状態で駆動源により回転せしめられ、その外周部にトラバース溝を備えるとともに、該トラバース溝に係合して軸方向にトラバースするトラバース体を備え、該トラバース体を軸方向にて巻取軸に係合させ、該トラバース体のトラバース力を巻取軸に伝えて該巻取軸をトラバースさせるように構成される。また、回転作動軸は、巻取軸に平行配置され、軸方向には移動自在で周方向には一体の回転体をその外周部に備え、該回転体を駆動源により回転せしめるとともに、上記トラバース体を軸方向にて該回転体に係合させ、該回転体を巻取軸のトラバースに追従移動させながら、該回転体の回転力を巻取軸に伝えて該巻取軸を回転させるように構成されるものである。
【００２２】
巻取ドラム１３は、図１、図２に示す如く、巻取軸１２に固定される一対の円形状側板２１、２１と、両側板２１、２１間に架け渡されるステー２２とから構成される。巻取ドラム１３は、側板２１のドラムボス２１Ａを巻取軸１２に固定する。
【００２３】
しかるに、釣糸巻取装置１０は、図１、図２に示す如く、巻取ドラム１３の釣糸１が出入りする領域（フロントローラ１４にガイドされて海中に延びる釣糸１が巻取ドラム１３の巻取径に接する接点領域）の側傍で、巻取ドラム１３の少なくともハウジング１１寄りの側板２１に添い設けられ、側板２１の最大外径をこえる高さまで延びる糸外れ防止ガイド３０を、ハウジング１１に対し回り止めし、かつ巻取ドラム１３とともに軸方向にトラバースさせるように設ける。本実施例では、巻取ドラム１３の両側の側板２１、２１のそれぞれに糸外れ防止ガイド３０（図１の３０Ｋ、３０Ｌ）を設けたが、ハウジング１１寄りの側板２１に添い設けた糸外れ防止ガイド３０（３０Ｋ）が巻取軸１２へからむ糸外れを防止するものになる。
【００２４】
釣糸巻取装置１０は、ハウジング１１の両側に左右の巻取ドラム１３、１３を有し、ハウジング１１に設けた摺動軸受部３１に回り止めシャフト３２のスライド部３２Ａを軸方向摺動自在に支持し、左右の糸外れ防止ガイド３０の基部のガイドメタル３０Ａを回り止めシャフト３２の両側アーム部３２Ｂに設け、このガイドメタル３０Ａ、３０Ａが左右の巻取ドラム１３、１３のハウジング１１寄りの側板２１に添接する状態で巻取軸１２に枢支される。
【００２５】
これにより、釣糸巻取装置１０は、右側へのトラバース時には、左巻取ドラム１３のハウジング１１寄りの側板２１のドラムボス２１Ａが左糸外れ防止ガイド３０（３０Ｋ）のガイドメタル３０Ａを軸方向に押し、左右の糸外れ防止ガイド３０をハウジング１１に対し回り止めしつつ、左右の巻取ドラム１３とともに右方向へトラバースさせる。左側へのトラバース時には、右巻取ドラム１３のハウジング１１寄りの側板２１のドラムボス２１Ａが右糸外れ防止ガイド３０（３０Ｋ）のガイドメタル３０Ａを軸方向に押し、左右の糸外れ防止ガイド３０をハウジング１１に対し回り止めしつつ、左右の巻取ドラム１３とともに左方向へトラバースさせる。
【００２６】
糸外れ防止ガイド３０（３０Ｋ、３０Ｌ）は、巻取ドラム１３の側板２１に添ってガイドメタル３０Ａから径方向に延びる立ち上がりバー３０Ｂと、立ち上がりバー３０Ｂの先端から巻取ドラム１３の外周をドラム巾方向に横切るように横方向に延びるクロスバー３０Ｃとからなる。糸外れ防止ガイド３０（３０Ｋ、３０Ｌ）の立ち上がりバー３０Ｂは、巻取ドラム１３の側板２１に実質的に隙間なく添い設けられ、釣糸１が糸外れ防止ガイド３０と側板２１の隙間に押し込むことを防止する。本実施例では、糸外れ防止ガイド３０（３０Ｋ、３０Ｌ）の立ち上がりバー３０Ｂが、巻取ドラム１３の側板２１の外縁（外縁の全外周面）に摺接する摺動メタル３０Ｄを備える。
【００２７】
糸外れ防止ガイド３０のクロスバー３０Ｃは、巻取ドラム１３の両側の側板２１、２１を含む全巾に渡る。本実施例では、両側の糸外れ防止ガイド３０Ｋ、３０Ｌのクロスバー３０Ｃを連結一本化し、このクロスバー３０Ｃが巻取ドラム１３の全巾に渡るものとしている。尚、巻取ドラム１３はこの両側の糸外れ防止ガイド３０Ｋ、３０Ｌによりその外周を完全に囲まれ外部に対して閉じられる。
【００２８】
本実施例によれば以下の作用効果を奏する。
(a)釣糸巻取装置１０において、巻取ドラム１３の側板２１に添い設けられ、側板２１の最大外径をこえる高さまで延びる糸外れ防止ガイド３０を、ハウジング１１に対し回り止めしながら、巻取ドラム１３とともに軸方向にトラバースさせるようにしたから、釣糸１が巻取ドラム１３の側板２１を乗り越えて外れることを防止し、ひいては巻取軸１２にからむことを防止し、操業を確保できる。
【００２９】
(b)左右の巻取ドラム１３を有する釣糸巻取装置１０において、左右の糸外れ防止ガイド３０をハウジング１１に対し回り止めし、かつ巻取ドラム１３とともにトラバースさせることができる。
【００３０】
(c)糸外れ防止ガイド３０が巻取ドラム１３の側板２１の外縁に摺接する摺動メタル３０Ｄを備えることにより、糸外れ防止ガイド３０を巻取ドラム１３の側板２１に安定的に隙間なく添い設けることができる。
【００３１】
(d)糸外れ防止ガイド３０が、巻取ドラム１３の側板２１に添って径方向に延びる立ち上がりバー３０Ｂと、立ち上がりバー３０Ｂの先端から横方向に延びるクロスバー３０Ｃとからなることにより、糸外れ防止ガイド３０により巻取ドラム１３の外周を囲み、巻取ドラム１３から外方に大きくたるむ釣糸１を確実に捕捉し、釣糸１が巻取ドラム１３の側板２１を乗り越えて外れることを防止できる。
【００３２】
(e)糸外れ防止ガイド３０のクロスバー３０Ｃが巻取ドラム１３の全巾に渡るように設けられる。イカ釣漁業で、フロントローラ１４により釣針から外れなかったイカを確実にクロスバー３０Ｃに当てて外し、このイカが巻取ドラム１３に巻き着くことを防止できる。
【００３３】
（実施例２）（図３、図４）
実施例２の釣糸巻取装置１０Ａが前述の釣糸巻取装置１０と異なる点は、図３、図４に示す如く、ハウジング１１の一側にだけ巻取ドラム１３を有するようにしたことにある。釣糸巻取装置１０Ａは、ハウジング１１に前述と同様に支持した回り止めシャフト３２の一側に設けられる糸外れ防止ガイド３０（３０Ｋ）の基部のガイドメタル３０Ａが、巻取ドラム１３のハウジング１１寄りの側板２１に添接する状態で巻取軸１２に枢支される。そして、回り止めシャフト３２の他側にサブガイドメタル４１を設け、このサブガイドメタル４１が、ハウジング１１の他側に突出する巻取軸１２の基端部に固定した固定金具４２に該ハウジング１１の側から添接する状態で巻取軸１２に枢支される。
【００３４】
これにより、釣糸巻取装置１０Ａは、一側へのトラバース時には、固定金具４２が他側のサブガイドメタル４１へ軸方向に押し、糸外れ防止ガイド３０をハウジング１１に対し回り止めしつつ、巻取ドラム１３とともに一側へトラバースさせる。他側へのトラバース時には、巻取ドラム１３のハウジング１１寄りの側板２１のドラムボス２１Ａが糸外れ防止ガイド３０（３０Ｋ）のガイドメタル３０Ａを軸方向に押し、糸外れ防止ガイド３０をハウジング１１に対し回り止めしつつ、巻取ドラム１３とともに他側へトラバースさせる。
【００３５】
糸外れ防止ガイド３０（３０Ｋ、３０Ｌ）は、前述と同様に、ガイドメタル３０Ａ、立ち上がりバー３０Ｂ、クロスバー３０Ｃ、摺動メタル３０Ｄを備える。
【００３６】
本実施例によれば、実施例１の(a)、(c)、(d)、(e)に加え、以下の作用効果を奏する。片側にだけ巻取ドラム１３を有する釣糸巻取装置において、糸外れ防止ガイド３０をハウジング１１に対し回り止めし、かつ巻取ドラム１３とともにトラバースさせることができる。
【００３７】
（実施例３）（図５、図６）
実施例３の釣糸巻取装置１０Ｂが前述の釣糸巻取装置１０と異なる点は、図５、図６に示す如く、ハウジング１１の一側にだけ巻取ドラム１３を有するようにしたことにある。釣糸巻取装置１０Ｂは、ハウジング１１に前述と同様に支持した回り止めシャフト３２に設けられる糸外れ防止ガイド３０（３０Ｋ）の基部のガイドメタル３０Ａが、巻取ドラム１３のハウジング１１寄りの側板２１のドラムボス２１Ａに添接する状態で巻取軸１２に枢支される。そして、糸外れ防止ガイド３０（３０Ｋ）に連結されて巻取ドラム１３の反ハウジング１１側に設けられる糸外れ防止ガイド３０（３０Ｌ）の基部のガイドメタル３０Ａをサブガイドメタル５１とし、このサブガイドメタル５１が、巻取ドラム１３の反ハウジング１１側の側板２１のドラムボス２１Ａに添接する状態で巻取軸１２に枢支される。
【００３８】
これにより、釣糸巻取装置１０Ｂは、一側へのトラバース時には、巻取ドラム１３の反ハウジング１１側の側板２１のドラムボス２１Ａが糸外れ防止ガイド３０（３０Ｌ）のサブガイドメタル５１（ガイドメタル３０Ａ）を軸方向に押し、糸外れ防止ガイド３０をハウジング１１に対し回り止めしつつ、巻取ドラム１３とともに一側へトラバースさせる。他側へのトラバース時には、巻取ドラム１３のハウジング１１寄りの側板２１のドラムボス２１Ａが糸外れ防止ガイド３０（３０Ｋ）のガイドメタル３０Ａを軸方向に押し、糸外れ防止ガイド３０をハウジング１１に対し回り止めしつつ、巻取ドラム１３とともに他側へトラバースさせる。
【００３９】
糸外れ防止ガイド３０（３０Ｋ、３０Ｌ）は、前述と同様に、ガイドメタル３０Ａ、立ち上がりバー３０Ｂ、クロスバー３０Ｃ、摺動メタル３０Ｄを備える。
【００４０】
本実施例によれば、実施例１の(a)、(c)、(d)、(e)に加え、以下の作用効果を奏する。片側にだけ巻取ドラム１３を有する釣糸巻取装置１０Ｂにおいて、糸外れ防止ガイド３０をハウジング１１に対し回り止めし、かつ巻取ドラム１３とともにトラバースさせることができる。
【００４１】
（実施例４）（図７）
実施例４の釣糸巻取装置１０Ｃが前述の釣糸巻取装置１０と異なる点は、図７に示す如く、巻取ドラム１３の側板２１を菱形状にし、釣糸１を菱形状に配置したステー２２に巻き回し、釣糸１の巻取り、巻出し時に擬似針が海中で小魚の動きに見えるようにしたことにある。
【００４２】
糸外れ防止ガイド３０（３０Ｋ、３０Ｌ）の立ち上がりバー３０Ｂは、巻取ドラム１３の側板２１の外面に摺接する摺動メタル６１を備える。摺動メタル６１は、側板２１の外縁の全周を含む外面に隙間なく摺接し、釣糸１が側板２１との隙間に押し込むことを防止する。
【００４３】
本実施例によれば、実施例１の(a)〜(e)の作用効果、実施例２、３の作用効果を奏する。
【００４４】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００４５】
【図１】図１は実施例１の釣糸巻取装置を示す正面図である。
【図２】図２は釣糸巻取装置を示し、（Ａ）は平面図、（Ｂ）は側面図である。
【図３】図３は実施例２の釣糸巻取装置を示す正面図である。
【図４】図４は釣糸巻取装置を示し、（Ａ）は平面図、（Ｂ）は側面図である。
【図５】図５は実施例３の釣糸巻取装置を示す正面図である。
【図６】図６は釣糸巻取装置を示し、（Ａ）は平面図、（Ｂ）は側面図である。
【図７】図７は実施例４の釣糸巻取装置を示し、（Ａ）は要部正面図、（Ｂ）は側面図である。
【図８】図８は糸外れ状態を示す模式図である。
【符号の説明】
【００４６】
１０、１０Ａ〜１０Ｃ  釣糸巻取装置
１１  ハウジング
１２  巻取軸
１３  巻取ドラム
２１  側板
３０、３０Ｋ、３０Ｌ  糸外れ防止ガイド
３０Ａ  ガイドメタル
３０Ｂ  立ち上がりバー
３０Ｃ  クロスバー
３０Ｄ  摺動メタル
３２  回り止めシャフト
４１  サブガイドメタル
４２  固定金具
５１  サブガイドメタル
【図１】
2008199917.tif 000003
【図２】
2008199917.tif 000004
【図３】
2008199917.tif 000005
【図４】
2008199917.tif 000006
【図５】
2008199917.tif 000007
【図６】
2008199917.tif 000008
【図７】
2008199917.tif 000009
【図８】
2008199917.tif 000010